(57)【特許請求の範囲】
【請求項１】
ハンガーを内部に入れてこのハンガーのフックをポールに掛けて、該ポールにかけられた衣服と衣服とを仕切るための長方形状の衣服用仕切り布であって、
横幅が前記ハンガーの横幅以上の長さで前記衣服の肩幅より少し長い幅にされ、縦長さが前記衣服の縦長さ以上でかつ下に着かない長さ以内にされて、縦方向に長い長方形状の大型不織布と、
横幅が前記大型不織布と同じにされ、前記ハンガーのフックの頂点を上端としこの上端と前記ハンガーの下端との間の縦寸法以上で当該小型不織布が横方向に長い長方形となる縦寸法にされた小型不織布と、
で構成され、
前記下端は、
前記ハンガーの前記左右の肩棒の両端にズボンを掛ける直線状のズボン掛け棒の位置にしており、
前記大型不織布と小型不織布とは、
各々の横上辺を一致させて重ねて、該各々の横上辺の中央部は前記フックを通らせる幅分は除いて接続して開口させ、
各々の左右の縦辺を一致させて重ねて前記各々の左右の縦辺を接続して前記大型不織布の上部に袋部を形成し、
前記各々の横上辺の前記開口の両端から垂直に前記ハンガーの肩棒までの間を接続し、かつこの位置から前記左右の肩棒のラインを前記左右の縦辺に向かって接続して前記左右の肩棒のラインの上側に左肩領域及び右肩領域を形成したことを特徴とする衣服用仕切り布。
【請求項２】
前記大型不織布と小型不織布とは、糸縫いで接続していることを特徴とする請求項１に記載の衣服用仕切り布。
【請求項３】
前記ハンガーの左右の肩棒のラインとして、前記横上辺の前記開口の両端から次第に下方に傾斜するように、このラインを糸縫いで形成していることを特徴とする請求項１又は２に記載の衣服用仕切り布。
【請求項４】
前記横上辺の前記開口の両端と前記ハンガーの肩棒とに垂直に接続するラインは、糸縫いであり、
前記袋部の前記左肩領域及び右肩領域には、
この糸縫いを垂直に一定間隔又は不規則に施していることを特徴とする請求項１乃至３のいずれかに記載の衣服用仕切り布。
【請求項５】
前記大型不織布と前記小型不織布は、抗菌剤を塗布していることを特徴とする請求項１乃至４のいずれかに記載の衣服用仕切り布。
【請求項６】
前記大型不織布と前記小型不織布は、静電気防止剤を塗布していることを特徴とする請求項１乃至５のいずれかに記載の衣服用仕切り布。
【請求項７】
前記大型不織布及び前記小型不織布は、磁粉を含ませていることを特徴とする請求項１乃至６のいずれかに記載の衣服用仕切り布。
【請求項８】
前記大型不織布及び前記小型不織布は色づけされていることを特徴とする請求項１乃至７のいずれかに記載の衣服用仕切り布。
【請求項９】
前記開口は、手の横幅にされていることを特徴とする請求項１乃至８のいずれかに記載の衣服用仕切り布。
【請求項１０】
ポールに掛けられた衣服同士を仕切るために２重構造の長方形状の衣服用仕切り布にハンガーを入れて構成する衣服用仕切りであって、
前記衣服用仕切り布は、大型不織布と、小型不織布とで構成され、
前記大型不織布は、
横幅が前記ハンガーの横幅以上の長さで前記衣服の肩幅より少し長い幅にされ、縦長さが前記衣服の縦長さ以上でかつ下に着かない長さ以内にされて、縦方向に長い長方形状であり、
前記小型不織布は、
横幅が前記大型不織布と同じにされ、前記ハンガーのフックの頂点を上端としこの上端と前記ハンガーの下端との間の縦寸法以上で当該小型不織布が横方向に長い長方形となる縦寸法にされ、
前記下端は、
前記ハンガーの前記左右の肩棒の両端にズボンを掛ける直線状のズボン掛け棒の位置にしており、
前記大型不織布と小型不織布とは、
各々の横上辺を一致させて重ねて、該各々の横上辺の中央部は前記フックを通らせる幅分は除いて接続して開口させ、
各々の左右の縦辺を一致させて重ねて前記各々の左右の縦辺を接続して前記大型不織布の上部に袋部を形成し、
前記各々の横上辺の前記開口の両端から垂直に、前記ハンガーの肩棒までの間を接続し、かつこの接続箇所から前記左右の肩棒のラインを前記左右の縦辺に向かって接続して前記左右の肩棒のラインの上側に左肩領域及び右肩領域を形成している
ことを特徴とする衣服用仕切り。
【請求項１１】
前記ハンガーは、
フックと上着の肩部を掛ける左右の肩棒とを直棒で接続した第１のハンガーであることを特徴とする請求項１０記載の衣服用仕切り。
【請求項１２】
前記ハンガーは、
フックと上着の肩部を掛ける左右の肩棒とを直棒で接続してさらに前記左右の肩棒の両端にズボンを掛ける直線状のズボン掛け棒を接続した第２のハンガーであることを特徴とする請求項１０記載の衣服用仕切り。
【請求項１３】
前記ハンガーは、
前記第１のハンガー、第２のハンガーの左右の肩棒は、該左右の肩棒の両端に向かって傾斜していることを特徴とする請求項１１又は１２記載の衣服用仕切り。
【請求項１４】
前記ハンガーは、針金で形成していることを特徴とする請求項１２又は１３記載の衣服用仕切り。
【発明の詳細な説明】
【技術分野】
【０００１】
本発明は、ロッカー内で私服と作業着とが完全不接触となる衣服用仕切り布及び衣服用仕切りに関する。
【背景技術】
【０００２】
一般に、食品工場、レストラン、包装容器工場、薬品会社等においては、作業着は私服と同じロッカー内にいれることが多い。しかし、ロッカー内に作業着と私服とを一緒にいれると、作業着の匂い等が私服に付着して好ましくない。
【０００３】
このような問題を解決するものとして以下の文献（特許文献１）がある。特許文献１は、工場勤務の人が使用するロッカー内に、通勤時に着用する清潔な衣服と汚れた作業着等が同時に収納された際に、衣服に作業着の汚れが付着することを防止するカーテン状の中仕切りが開示されている。
【０００４】
そして、このカーテン状の中仕切りは、ロッカー内の衣服に対応する長さと奥行き寸法に形成し、これをハンガーに吊り下げている。より具体的には、ハンガーは閉じていない一方が開放して直線状の横棒をまげてフックと連結する形状（ズボン用のハンガー）となるものを用いて、衣服をかけるものと同じものを用いる。
【０００５】
そして、カーテン状の中仕切りを合成樹脂とし、この一方に筒部をつくり、この筒部で前述の横棒を通す構造にしている。
【先行技術文献】
【特許文献】
【０００６】
【特許文献１】特開平６−２２８２２号公報
【発明の概要】
【発明が解決しようとする課題】
【０００７】
しかしながら、特許文献１に開示されたロッカーのカーテン状中仕切りにおいて、仕切りは合成樹脂（ビニール）を用いるものであり、またハンガーはズボン用のものである。
【０００８】
このため、仕切りを挟む衣服と衣服とは横棒あたりで接触する可能性が高い。このようなハンガーを用いるのは仕切りが合成樹脂（ビニール）であるから、短片側を横棒によって支える必要があるからである。また、作業着というのはズボンとは限らない。
【０００９】
工場の作業員は、家庭から電車、バス等を介して工場に通勤しているから、さまざまな雑菌を工場に運ぶことになる。
【００１０】
近年は、食品衛生法の観点からも私服と作業着とを一緒にロッカー内に保管するのは好ましくない。かといって、作業着用と私服とを別々のロッカー内に保管することは場所もとるし、また費用の問題からも好ましくない。
【００１１】
また、引用文献１は、シート状の仕切り板１１の端部１４を折り返し、その折り返された内部が空洞を有するパイプ状となるよう、当該端部１４を仕切り材１１に溶着して、掛止材１２（ズボン用のハンガー）の直棒を前述の空洞に挿入して構成されるズボン用のハンガーを用いるカーテン状の中仕切りである。
【００１２】
つまり、特許文献１は端部１４を仕切り材１１に溶着したカーテン状の中仕切りであるから、衣服を掛けたハンガーと、衣服を掛けたハンガーとの間に掛けて用いるものであるからロッカーにはあまり衣服を掛けることができなくなる。
【００１３】
本発明は、以上の課題を鑑みてなされたもので、ロッカー内で私服と作業着とが完全不接触で、かつできるだけ多くをかけられる衣服用仕切り布及び衣服用仕切りを得ることを目的とする。
【課題を解決するための手段】
【００１４】
本発明の衣服用仕切り布は、ハンガーを内部に入れてこのハンガーのフックをポールに掛けて、該ポールにかけられた衣服と衣服とを仕切るための長方形状の衣服用仕切り布である。
【００１５】
横幅が前記ハンガーの横幅以上の長さで前記衣服の肩幅より少し長い幅にされ、縦長さが前記衣服の縦長さ以上でかつ下に着かない長さ以内にされて、縦方向に長い長方形状の大型不織布と、
横幅が前記大型不織布と同じにされ、前記ハンガーのフックの頂点を上端としこの上端と前記ハンガーの下端との間の縦寸法以上で当該小型不織布が横方向に長い長方形となる縦寸法にされた小型不織布と、
で構成され、
前記下端は、
前記ハンガーの前記左右の肩棒の両端にズボンを掛ける直線状のズボン掛け棒の位置にしており、
前記大型不織布と小型不織布とは、
各々の横上辺を一致させて重ねて、該各々の横上辺の中央部は前記フックを通らせる幅分は除いて接続して開口させ、
各々の左右の縦辺を一致させて重ねて前記各々の左右の縦辺を接続して前記大型不織布の上部に袋部を形成し、
前記各々の横上辺の前記開口の両端から垂直に前記ハンガーの肩棒までの間を接続し、かつこの位置から前記左右の肩棒のラインを前記左右の縦辺に向かって接続して前記左右の肩棒のラインの上側に左肩領域及び右肩領域を形成したことを要旨とする。
【００１６】
本発明の衣服用仕切りは、ポールに掛けられた衣服同士を仕切るために２重構造の長方形状の衣服用仕切り布にハンガーを入れて構成する衣服用仕切りである。
【００１７】
前記衣服用仕切り布は、大型不織布と、小型不織布とで構成され、
前記大型不織布は、
横幅が前記ハンガーの横幅以上の長さで前記衣服の肩幅より少し長い幅にされ、縦長さが前記衣服の縦長さ以上でかつ下に着かない長さ以内にされて、縦方向に長い長方形状であり、
前記小型不織布は、
横幅が前記大型不織布と同じにされ、前記ハンガーのフックの頂点を上端としこの上端と前記ハンガーの下端との間の縦寸法以上で当該小型不織布が横方向に長い長方形となる縦寸法にされ、
前記下端は、
前記ハンガーの前記左右の肩棒の両端にズボンを掛ける直線状のズボン掛け棒の位置にしており、
前記大型不織布と小型不織布とは、
各々の横上辺を一致させて重ねて、該各々の横上辺の中央部は前記フックを通らせる幅分は除いて接続して開口させ、
各々の左右の縦辺を一致させて重ねて前記各々の左右の縦辺を接続して前記大型不織布の上部に袋部を形成し、
前記各々の横上辺の前記開口の両端から垂直に、前記ハンガーの肩棒までの間を接続し、かつこの接続箇所から前記左右の肩棒のラインを前記左右の縦辺に向かって接続して前記左右の肩棒のラインの上側に左肩領域及び右肩領域を形成している
ことを要旨とする。
【発明の効果】
【００１８】
以上のように、本発明に係る衣服用仕切り布及び衣服用仕切りよれば、ロッカー内で服と服とを完全に仕切りができるので、服同士に雑菌がつかない。例えば、食品工場に用いる作業着と私服とを同じロッカー内にいれても、両方が完全に仕切られるから衛生的である。
【図面の簡単な説明】
【００１９】
【図１】実施の形態１の衣服用仕切り１の構成図である。
【図２】実施の形態１の衣服用仕切り１の横断面図である。
【図３】実施の形態１の衣服用仕切り１の上部を拡大した斜視図である。
【図４】実施の形態１の衣服用仕切り１の上面図である。
【図５】実施の形態１の衣服用仕切り１において、左側領域４及び右側領域５内の各ラインを説明するための詳細説明図である。
【図６】実施の形態１の衣服用仕切り１の使用例を説明する説明図である。
【図７】実施の形態２の衣服用仕切り３０の構成図である。
【図８】実施の形態２の衣服用仕切り３０において、フック通過用の開口孔７の詳細構成図である。
【図９】実施の形態３の衣服用仕切り４０の概略構成図である。
【図１０】実施の形態３の衣服用仕切り４０の断面図である。
【図１１】実施の形態４の衣服用仕切り５０でハンガー２に吊るした作業着１５を覆った場合の斜視図である。
【図１２】実施の形態４の衣服用仕切り５０において、帯状不織布５８の説明図である。
【図１３】実施の形態４の仕切り５０の構成図である。
【図１４】実施の形態５の衣服用仕切り６０を示した斜視図である。
【図１５】実施の形態５の衣服用仕切り６０の上面図である。
【図１６】実施の形態５の衣服用仕切り６０において、左側領域４及び右側領域５内の各ラインを説明するための詳細説明図である。
【図１７】実施の形態５における変形例の衣服用仕切り６０’において、左側領域４及び右側領域５内の各ラインを説明するための詳細説明図である。
【図１８】実施の形態６の衣服用仕切り７０において、人手Ｈを介してハンガー２を挿脱するための開口孔７１の説明図である。
【図１９】実施の形態７の衣服用仕切り８０において、人手Ｈを介してハンガー２を挿脱するための開口孔８１の説明図である。
【図２０】実施の形態８の衣服用仕切り９０において、人手Ｈを介してハンガー２を挿脱するための開口孔９１の説明図である。
【図２１】実施の形態９の衣服用仕切り１００において、人手Ｈを介してハンガー２を挿脱するための開口孔１０１の説明図である。
【図２２】その他の実施の形態を説明する説明図である。
【発明を実施するための形態】
【００２０】
以下に本発明に係る衣服用仕切り布及び衣服用仕切りについて、図１〜図２２を参照して実施の形態順に詳細に説明する。
【００２１】
＜実施の形態１＞
図１は本実施の形態１の衣服用仕切りの構成図である。図２は実施の形態１の衣服用仕切り１の横断面図である。図３は実施の形態１の衣服用仕切り１の上部を拡大した斜視図である。図４は実施の形態１の衣服用仕切り１の上面図である。図５は実施の形態１の衣服用仕切り１において、左側領域４及び右側領域５内の各ラインを説明するための詳細説明図である。
【００２２】
本実施の形態１の衣服用仕切り１は、図１に示すように長方形状の大型不織布６と、この大型不織布６の上部に重ねて設けられた小型不織布３と、この大型不織布６と小型不織布３との間の内部に挿入されるハンガー２とから構成されている。但し、大型不織布６と小型不織布３とを総称して単に衣服用仕切り布という。
【００２３】
尚、衣服用仕切り１は、衣服用仕切り布内にハンガー２を挿入したものであり、一方、衣服用仕切り布は、衣服用仕切り１からハンガー２を除いたものであるので、衣服用仕切り布の説明は衣服用仕切り１の説明を参照するものとする。
【００２４】
本実施の形態１の衣服用仕切り１に適用されるハンガー２は針金を用いて説明する。針金を用いて形成したハンガー２は、図３に示すように、フック２ａ、上着を掛ける左肩棒２ｂ、右肩棒２ｃ、ズボンを掛けるズボン掛け用直棒２ｅ、フック２ａと左肩棒２ｂ、右肩棒２ｃの接続点とを結ぶ直線状の首棒２ｄで構成されており、左肩棒２ｂ、右肩棒２ｃは上着の肩を掛けるために所定の傾斜角度を有している。
【００２５】
また、ハンガー２のフック２ａの横幅は５〜６ｃｍ程度であり、且つ、ハンガー２の左右間の肩幅は４０〜４５ｃｍ程度であり、更に、ハンガー２のフック２ａの頂点とズボン掛け用直棒２ｅとの間の高さは２０〜２５ｃｍ程度である。
【００２６】
大型不織布６は、大きさが横幅４８〜５５ｃｍ（５０ｃｍが好ましい）で縦長さ１ｍ〜１２０ｃｍ程度にされている。また、大型不織布６及び小型不織布３の厚みは、０．８ｍｍ〜１．０ｍｍ程度にされている。
【００２７】
本実施の形態の大型不織布６及び小型不織布３の各横幅は、前述したハンガー２の左右間の肩幅４０〜４５ｃｍ程度よりも少し長く例えば５０ｃｍに設定されており、且つ、大型不織布６の縦長さは例えば１ｍに設定されている。
【００２８】
尚、大型不織布６の横幅、縦長さは、例えばロッカー内の仕切りに用いる場合に、ロッカー内の奥行きと高さによって決まるが、ロッカーが非常に大型又はクローゼットが大型若しくは衣服販売店で用いる場合は、大型不織布６の縦長さを１７０ｃｍ程度にしてもかまわない。
【００２９】
これらの不織布３、６は、アラミド繊維、ガラス繊維、ナイロン繊維、ビニロン繊維、ポリエステル繊維、ポリオレフィン繊維、レーヨン繊維等を混ぜて生成している。また、抗菌剤を混ぜるか又は抗菌剤を塗布してもよい。
【００３０】
そして、この大型不織布６の上側に小型不織布３を貼り付けている。この貼り付けは、ハンガー２の形状に沿って糊付け又は糸で縫っている。本実施の形態では糸で縫っている。但し、ズボンをかけるズボン掛け用直棒２ｅの下は縫わないようにしている。すなわち、
中央部のフックが通る幅分は除いて中央部が開口し、小型不織布の横下辺は大型不織布に接続されていない仕切り布であるから、ハンガーに作業着又は私服（以下総称して衣服という）を掛けながら、横下辺から衣服付きでハンガーを容易に通してポールに掛けることができる。このため、本願発明の仕切り布１枚で衣服かけと仕切りとを実現できるので、多くを掛けることができる。
【００３１】
具体的には、小型不織布３は、一方の上端の横辺（横上辺ともいう）３ａを大型不織布６の一方の上端の横辺（横上辺ともいう）６ａに一致させて重ね、かつ左右の縦辺３ｂ、３ｃを大型不織布６の左右の縦辺６ｂ、６ｃに一致させて重ねる。
【００３２】
そして、重ねられている小型不織布３、大型不織布６の左右の縦辺（３ｂ、６ｂ）、（３ｃ、６ｃ）同士を糸で縫って図３に示すように左側縦辺ライン４ｂ、右側縦辺ライン５ｂを形成する（縁から約３ｍｍ〜５ｍｍ程度離す；本実施の形態では５ｍｍ）。一方、小型不織布３は、他方の下端の横辺（横下辺ともいう）３ｄがハンガー２を挿脱するために開口されている。
【００３３】
また、小型不織布３、大型不織布６の各横上辺３ａ，６ａの右角点３ａ２、６ａ２及び各左角点３ｂ１、６ｂ１から縦下方向に約１６ｃｍ程度となる右側縦辺ライン５ｂの点５ｂｂ、左側縦辺ライン４ｂの点４ｂｂから右側縦辺ライン５ｂ、左側縦辺ライン４ｂに対して約７８度（６５度〜８５度）で直線状に糸で縫っていって右側肩ライン５ｄ、左側肩ライン４ｄを形成する。言い換えると、右側肩ライン５ｄ、左側肩ライン４ｄは、ハンガー２の右肩棒２ｃ、左肩棒２ｂに略沿って形成されている。
【００３４】
また、右側肩ライン５ｄの内側端点５ｄｄ及び左側肩ライン４ｄの内側端点４ｄｄから垂直に、前述の横上辺３ａ、６ａに向かって糸で縫っていって（端から約５ｍｍ離す）、右側首垂直ライン５ｃ、左側首垂直ライン４ｃを形成する。そして、右側首垂直ライン５ｃの上部端点５ｃｃから右側縦辺ライン５ｂに向かって前述の横上辺３ａ、６ａに対して平行に糸で右側縦辺ライン５ｂまで縫っていって右側横辺ライン５ａを形成する。また、左側首垂直ライン４ｃの上部端点４ｃｃから左側縦辺ライン４ｂに向かって前述の横上辺３ａ、６ａに対して平行に糸で左側縦辺ライン４ｂまで縫っていって左側横辺ライン４ａを形成する。
【００３５】
すなわち、図１、図３に示すように、重ねられた大型不織布６及び小型不織布３の各横上辺６ｃ、３ｃの幅方向の中央部には、前述したハンガー２のフック２ａの横幅５〜６ｃｍ程度と対応して、所定の横幅サイズが約８ｃｍ程度のフック通過用の開口孔７が形成されることになる。この所定サイズの開口孔７は、ハンガー２のフック２ａを通すために作成する。そして、小型不織布３のうちで開口している横下辺３ｄからハンガー２を挿入して、ハンガー２のフック２ａを開口孔７を通して外部に突出させている。
【００３６】
前述の右側縦辺ライン５ｂ、右側肩ライン５ｄ、右側首垂直ライン５ｃ、右側横辺ライン５ａが形成された領域内を右側領域５と称する。前述の左側縦辺ライン４ｂ、左側肩ライン４ｄ、左側首垂直ライン４ｃ、左側横辺ライン４ａが形成された領域内を左側領域４と称する（図５参照）。
【００３７】
従って、上記した実施の形態１の衣服用仕切り（衣服用仕切り布）１は、横幅がハンガー２の横幅以上の長さでかつハンガー２に掛ける上着の肩幅より少し長い幅にされ、縦長さがハンガー２の縦寸法の４倍〜７倍程度にされた長方形状の大型不織布６と、
横幅が大型不織布６と同じで、縦長さがハンガー２のフック２ａの頂点からフック２とハンガー２の左右の肩棒２ｂ、２ｃとを接続する首棒２ｄを含んで、左右の肩棒２ｂ、２ｃを含む程度までの長さにされた長方形状の小型不織布３とで構成され、
小型不織布３は、横上辺３ａを大型不織布６の横上辺６ａに一致させて重ね、かつ左右の縦辺３ｂ、３ｃを大型不織布６の左右の縦辺６ｂ、６ｃに一致させて重ねられ、
大型不織布６に対して小型不織布３が重なる左右の縦辺６ｂ、６ｃのみを固着接続した左側縦辺ライン４ｂ及び右側縦辺ライン５ｂを形成し、
重ねられた大型不織布６及び小型不織布３の各横上辺６ａ、３ａは、中央部を開口して所定サイズの開口孔７を形成し、この開口孔７以外は固着接続して左側横辺ライン４ａと右側横辺ライン５ａとを形成し、
小型不織布３の横下辺３ｄを開口し、小型不織布３の横下辺３ｄ側から挿入したハンガー２のフック２ａを開口孔７を通して外部に突出させるために、開口孔７の左右の端から左横辺ライン４ａ及び右横辺ライン５ａに対して垂直にハンガー２の左右の肩棒２ｂ、２ｃ近傍に至る位置までの範囲を接続して左側首垂直ライン４ｃ及び右側首垂直ライン５ｃを形成し、
左側首垂直ライン４ｃ及び右側首垂直ライン５ｃのうちで左右の肩棒近傍からハンガー２の左右の肩棒２ｂ、２ｃに沿って左側縦辺ライン４ｂ及び右側縦辺ライン５ｂに至る位置までの範囲を接続して左側肩ライン４ｄ及び右側肩ライン５ｄを形成して、
なることを特徴とするものである。
【００３８】
すなわち、実施の形態１の衣服用仕切り１は、ハンガー２が入れられてフック２ａがロッカーのポール（パイプ）１０（図６）に掛けられると、ハンガー２の右肩棒２ｃ、左肩棒２ｂが右側肩ライン５ｄ、左側肩ライン４ｄに当たるようになっている。つまり、右側肩ライン５ｄ、左側肩ライン４ｄの強度が増す。
【００３９】
図６は実施の形態１の衣服用仕切り１の使用例を説明する説明図である。衣服用仕切り１はロッカーのポール１０にハンガー２のフック２ａをかけて使用され、この衣服用仕切り１を介して作業着１５と私服１６とがかけられる。
【００４０】
本実施の形態１の衣服用仕切り１は、ハンガー２のフック２ａがポール１０にかけられると、ハンガー２の右肩棒２ｃ、左肩棒２ｂが右側肩ライン５ｄ、左側肩ライン４ｄに接して、強度が増す。
【００４１】
ハンガー２の右肩棒２ｃ、左肩棒２ｂが右側肩ライン５ｄ、左側肩ライン４ｄに接すると、図５に示すように、フック２ａの端点から小型不織布３、大型不織布６の各横上辺３ａ、６ａが重なり合う衣服用仕切り１の横上辺１ａとの距離は３ｃｍ程度である。
【００４２】
そして、この右側肩ライン５ｄ、左側肩ライン４ｄには、垂直な右側首垂直ライン５ｃ、左側首垂直ライン４ｃが接続されているから右側肩ライン５ｄ、左側肩ライン４ｄによってしっかりと支えられる。さらに、右側首垂直ライン５ｃ、左側首垂直ライン４ｃには右側横辺ライン５ａ、左側横辺ライン４ａが接続されているから、これも支えられることになる。
【００４３】
このため、衣服用仕切り１がポール１０にかけられたとしても、これらのラインが崩れることはない。従って、この衣服用仕切り１を介して作業着１５と私服１６とがかけられると、図６に示すように、右側領域５、左側領域４を有する小型不織布３と、大型不織布６とによって完全に仕切られる。よって、ロッカー内で私服１６と作業着１５とが接しない。
【００４４】
また、図５に示すように、ハンガー２のフック２ａと衣服用仕切り１の横上辺１ａ（３ａ、６ａ）とは、大体３ｃｍ程度の間隔があるが、材質が不織布であるから、容易にフック２ａをポール１０にかけることができる。
【００４５】
＜実施の形態２＞
図７は実施の形態２の衣服用仕切り３０の構成図である。図８は実施の形態２の衣服用仕切り３０において、フック通過用の開口孔７の詳細構成図である。実施の形態２においては特徴部分のみを図示化して説明する。
【００４６】
図７に示すように、実施の形態２の衣服用仕切り３０は、先に図１〜図６を用いて説明した実施の形態１の衣服用仕切り１を一部変形させたものである。
【００４７】
この実施の形態２の衣服用仕切り３０は、実施の形態１の衣服用仕切り１のフック通過用の開口孔７の入口部位に、強化部分３１を有している。強化部分３１は、硬い紙（画用紙、ダンボール）又は縫込線を多数縫い込んで形成してもよい。本実施の形態では、硬い紙として説明する。
【００４８】
そして、強化部分３１は、前述したフック通過用の開口孔７の横幅約８ｃｍ程度に対して横幅が９ｃｍで縦高さが５ｍｍ程度にされて、小型不織布３、大型不織布６に糊付けされている（硬紙３１ａ、３１ｂ）。強化部分３１の横幅を９ｃｍとするのは、右側首垂直ライン５ｃ、左側首垂直ライン４ｃによって支えを強くするためである。支えがある程度あるのであれ、強化部分３１の両端は右側首垂直ライン５ｃ、左側首垂直ライン４ｃと同じでもかまわない。
【００４９】
また、図８に示すように、強化部分３１の硬紙３１ａ、３１ｂの中央には、孔３２ａ，３２ｂ（φ１．５ｍｍ程度）が設けられている。孔３２ａ，３２ｂは、丸輪（金属又はプラスチック）で補強しておくのが好ましい。
【００５０】
一方、ハンガー２の首棒２ｄには、孔３２ａ，３２ｂに入れるための突起３３ａ、３３ｂ（５ｍｍ〜１ｃｍ）が斜めに形成されている。この突起３３ａ、３３ｂ（５ｍｍ〜１ｃｍ）は、フック２ａの曲げ先端２ａａから約１ｃｍ程度にされている。本実施の形態では１．３ｃｍ（図７）にしている。
【００５１】
すなわち、図７に示すように、ハンガー２の首棒２ｄに突出形成した突起３３ａ、３３ｂに強化部分３１の硬紙３１ａ、３１ｂの中央の孔３２ａ、３２ｂを引っ掛けると、よりハンガー２のフック２ａの曲げ先端２ａａに衣服用仕切り３０の一方の横上辺１ａが近づくことになる。従って、より仕切り効果がます。
【００５２】
＜実施の形態３＞
図９は実施の形態３の衣服用仕切り４０の概略構成図である。図１０は実施の形態３の衣服用仕切り４０の断面図である。
【００５３】
図９に示すように、実施の形態３の衣服用仕切り４０も、先に図１〜図６を用いて説明した実施の形態１の衣服用仕切り１を一部変形させたものである。
【００５４】
この実施の形態３の衣服用仕切り４０は、実施の形態１の衣服用仕切り１の両側に、横幅１５ｃｍ〜２０ｃｍ（本実施の形態では２０ｃｍ）の右袖不織布４２と、左袖不織布４１とを接続している（糸で縫って接続）。
【００５５】
これらの袖不織布４２，４１は、大型不織布６の横上辺６ａの左右の角点６ａ１、６ａ２から縦下方向に約１５ｃｍ離して接続されている。また、これらの袖不織布４２，４１は、大型不織布６の横下辺６ｄの左右の角点６ｄ１、６ｄ２から縦上方向に約２０ｃｍ程度離して接続されている。
【００５６】
そして、さらに、これらの袖不織布４２，４１の側辺部４２ａ、４１ａには長さが１０ｃｍ程度のマジックテープ（登録商標）４４、４３が糸で縦方向に一定間隔（例えば２０ｃｍ）を隔てて複数接続されている。
【００５７】
従って、ロッカー内で衣服用仕切り４０を介して図６に示した作業着１５と私服１６とがポール１０に掛けられた場合に、作業着１５，私服１６の左右の袖を左右の袖不織布４１，４２で巻きつけることができるから、さらに仕切り効果があがる。
【００５８】
＜実施の形態４＞
図１１は実施の形態４の衣服用仕切り５０でハンガー２に吊るした作業着１５を覆った場合の説明図である。
【００５９】
図１１に示すように、実施の形態４の衣服用仕切り５０も、先に図１〜図６を用いて説明した実施の形態１の衣服用仕切り１を一部変形させたものである。
【００６０】
この実施の形態４の衣服用仕切り５０は、実施の形態１の衣服用仕切り１の両側に設けた右袖不織布５５と、左袖不織布５６との間を複数の帯状不織布５８及びボタン５１、５２によって接続して、ハンガー２に吊るした作業着１５の袖部を覆うようにしている。
【００６１】
図１２は実施の形態４の衣服用仕切り５０において、帯状不織布５８の説明図である。帯状不織布５８は、幅が３ｃｍ〜５ｃｍで長さが２５ｃｍ〜３５ｃｍ程度（本実施の形態では３０ｃｍ）にされている。
【００６２】
そして、帯状不織布５８の端には、ボタン用の孔５９ａ、５９ｂが横方向に一定間隔（２ｃｍ、３ｃｍ、５ｃｍ又は１０ｃｍ）で設けられている。
【００６３】
図１３は実施の形態４の衣服用仕切り５０の構成図である。但し、帯状不織布５８は省略する。図１３に示すように、衣服用仕切り１の両側には、横幅１５ｃｍ〜２０ｃｍ（本実施の形態では２０ｃｍ）の右袖不織布５５と、左袖不織布５６とを接続している（糸で縫って接続）。
【００６４】
これら左右の袖不織布５６、５５は、大型不織布６の横上辺６ａの左右の角点６ａ１、６ａ２から縦下方向に約１５ｃｍ離して接続されている。つまり、ハンガー２の右肩棒２ｃ、左肩棒２ｂの縦方向の中央付近から接続されている。
【００６５】
また、大型不織布６の横下辺６ｄの左右の角点６ｄ１、６ｄ２からは縦上方向に約２０ｃｍ程度離して接続されている。
【００６６】
そして、さらに、これら左右の袖不織布５６、５５の側辺部の裏側にはボタン５２、５１が縦方向に一定間隔（例えば、２５ｃｍ〜３０ｃｍ程度）で縫いつけされている。
【００６７】
すなわち、図１１に示すように、作業着１５の両袖に右袖不織布５５と、左袖不織布５６とを巻きつけるようにして覆って、帯状不織布５８をボタン５１、５２によって止めることが可能となる。
【００６８】
従って、ロッカー内で作業着１５と私服１６（図６）とを単に仕切るだけではなく、作業着１５の両袖も覆われるのでさらに仕切り効果があがる。
【００６９】
＜実施の形態５＞
図１４は実施の形態５の衣服用仕切り６０を示した斜視図である。図１５は実施の形態５の衣服用仕切り６０の上面図である。図１６は実施の形態５の衣服用仕切り６０において、左側領域４及び右側領域５内の各ラインを説明するための詳細説明図である。
【００７０】
図１４に示すように、実施の形態５の衣服用仕切り６０も、先に図１〜図６を用いて説明した実施の形態１の衣服用仕切り１を一部変形させたものである。
【００７１】
この実施の形態５の衣服用仕切り６０では、小型不織布３と大型不織布６とにポリプロピレン不織布を用い、且つ、小型不織布３，大型不織布６の各横上辺３ａ、６ａ及び左右の縦辺（３ｂ，６ｂ）、（３ｃ，６ｃ）同士を一致させた状態で両者３，６を重ね合わせている。
【００７２】
また、実施の形態５の衣服用仕切り６０では、実施の形態１とは異なって、重ねられた小型不織布３、大型不織布６の各横上辺３ａ、６ａの幅方向の中央部が、挿入されたハンガー２に対してフック２ａを把持した人手Ｈを挿入することができる横幅程度の長さを有する開口孔６１に形成されている。
【００７３】
上記した人手挿入用の開口孔６１は、ハンガー２のフック２ａを把持した人手Ｈを挿入できる程度の所定の横幅サイズとして、人手Ｈの大きさに対して余裕を持って１４〜１８ｃｍ（１６ｃｍが好ましい）程度にされており、先に図１、図３を用いて説明した実施の形態１における所定の横幅サイズが約８ｃｍ程度の開口孔７に対して略２倍程度大きなサイズに形成されていると共に、ハンガー２のフック２ａの横幅５〜６ｃｍ程度に対して略３倍程度大きなサイズに形成されている。
【００７４】
これに伴って、図１６にも拡大して示す如く、左側領域４、右側領域５内において、小型不織布３、大型不織布６の各横上辺３ａ、６ａの中央部に形成した開口孔６１以外は糸縫いなどにより固着接続して左側横辺ライン６２ａ、右側横辺ライン６２ｂを各横上辺３ａ、６ａと略平行に形成し、更に、横幅を広げた開口孔６１の左右の端から左側首垂直ライン６２ｃ、右側首垂直ライン６２ｄを左側肩ライン６２ｅ、右側肩ライン６２ｆまで垂直に固着接続している。尚、左側領域４、右側領域５内において、左側縦辺ライン４ｂ（図１４）、右側縦辺ライン５ｂ（図１４）は、実施の形態１と同じ位置に形成されている。
【００７５】
上記から実施の形態５の衣服用仕切り６０によれば、上着（ズボンでもかまわない）をハンガーに掛けた状態で、横幅を広げた開口孔６１内に人手Ｈを挿入し、さらに挿入すると、上着がハンガー付きで小型不織布３の下からハンガー（上着付き）が出てくる。このため、容易に上着の着脱ができる。
【００７６】
＜実施の形態５を一部変形させた変形例＞
図１７は実施の形態５における変形例の衣服用仕切り６０’において、左側領域４及び右側領域５内の各ラインを説明するための詳細説明図である。
【００７７】
図１７に示すように、実施の形態５における変形例の衣服用仕切り６０’では、小型不織布３、大型不織布６の各横上辺３ａ、６ａの幅方向の中央部に人手Ｈを挿入できる開口孔６１を形成する際に、左側領域４、右側領域５内で複数本の左側首垂直ライン６２ｃ１〜６２ｃ３・・・（糸で縫う）、複数本の右側首垂直ライン６２ｄ１〜６２ｄ３・・・（糸で縫う）のみが前述した実施の形態５の衣服用仕切り６０に対して異なるだけであり、ここでは複数本として例示している。これらの間隔は一定間隔であってもよいし、各々が異なる間隔であってもよい。従って、右側首垂直ライン６２ｄ１〜６２ｄ３・・・、左側首垂直ライン６２ｃ１〜６２ｃ３・・・によって補強されることになる。
【００７８】
一方、左側領域４、右側領域５内において、左側横辺ライン６２ａ、右側横辺ライン６２ｂ、左側肩ライン６２ｅ、右側肩ライン６２ｆ、左側縦辺ライン４ｂ（図１４）、右側縦辺ライン５ｂ（図１４）は、実施の形態５と同じである。
【００７９】
尚、ここでの図示を省略するが、左側首垂直ライン６２ｃ１〜６２ｃ３・・（糸で縫う）、右側首垂直ライン６２ｄ１〜６２ｄ３以外の各ライン６２ａ、６２ｂ、６２ｅ、６２ｆ、４ｂ、５ｂも、複数本平行に隣接して左右対称に糸で縫えば、各ラインの強度を増すことができる。
【００８０】
上記から実施の形態６における変形例の衣服用仕切り６０’によれば、複数本の左側首垂直ライン６２ｃ１〜６２ｃ３、複数本の右側首垂直ライン６２ｄ１〜６２ｄ３の強度が増すことで、横幅を広げた開口孔６１をより一層拡げ易くなり、人手Ｈを介してハンガー２を容易に挿脱することができる。
【００８１】
＜実施の形態６＞
図１８（ａ），（ｂ）は実施の形態６の衣服用仕切り７０において、人手Ｈを介してハンガー２を挿脱するための開口孔７１の説明図である。
【００８２】
図１８（ａ），（ｂ）に示すように、実施の形態６の衣服用仕切り７０は、先に図１４〜図１６を用いて説明した実施の形態５の衣服用仕切り６０を一部変形させたものである。
【００８３】
この実施の形態６の衣服用仕切り７０では、小型不織布３と大型不織布６とにポリプロピレン不織布を用いて両者３，６を重ね合わせている。
【００８４】
また、実施の形態６の衣服用仕切り７０では、先に図１４〜図１６を用いて説明した実施の形態５と同様に、重ねられた小型不織布３、大型不織布６の各横上辺３ａ、６ａの幅方向の中央部に、人手Ｈを挿入することができる横幅程度の長さを有する開口孔７１を形成している。
【００８５】
一方、この実施の形態６では、実施の形態５とは異なって、小型不織布３、大型不織布６の各横上辺３ａ、６ａを内側（又は外側）に略５ｍｍ程度折り曲げて、各横上辺６ａ、６ａに沿って略平行に糸で縫って強化部分７２，７３を形成している。
【００８６】
これにより、小型不織布３、大型不織布６の各横上辺３ａ、６ａ部位の剛性を高めて、横幅を広げた開口孔７１の入口部位を強化している。
【００８７】
上記に伴って、左側領域４、右側領域５内において、小型不織布３、大型不織布６の各横上辺３ａ、６ａよりも下方には、糸縫いにより開口孔７１の左右の端からそれぞれ外側に向かって左側横辺ライン７４ａ、右側横辺ライン７４ｂを各横上辺３ａ、６ａと略平行に形成し、更に、開口孔７１の左右の端から左側首垂直ライン７４ｃ、右側首垂直ライン７４ｄを左側肩ライン７４ｅ、右側肩ライン７４ｆまで垂直に固着接続している。
【００８８】
上記から実施の形態６の衣服用仕切り７０によれば、小型不織布３、大型不織布６の各横上辺３ａ、６ａ側に形成した強化部分７２，７３により、横幅を広げた開口孔７１の入口部位が強くなるので拡げ易くなり、この開口孔７１内に人手Ｈを介してハンガー２を容易に挿脱することができる。
【００８９】
＜実施の形態７＞
図１９（ａ），（ｂ）は実施の形態７の衣服用仕切り８０において、人手Ｈを介してハンガー２を挿脱するための開口孔８１の説明図である。
【００９０】
図１９（ａ），（ｂ）に示すように、実施の形態７の衣服用仕切り８０は、先に図１８（ａ），（ｂ）を用いて説明した実施の形態６の衣服用仕切り７０の技術的思想を踏まえて一部変形させたものである。
【００９１】
この実施の形態７の衣服用仕切り８０では、重ねられた小型不織布３、大型不織布６の各横上辺３ａ、６ａの幅方向の中央部に、人手Ｈを挿入することができる横幅程度の長さを有する開口孔８１を形成し、且つ、小型不織布３、大型不織布６の各横上辺３ａ、６ａを内側（又は外側）に略５ｍｍ程度折り曲げて、各横上辺６ａ、６ａに沿って略平行に糸で縫って強化部分８２，８３を形成するときに、実施の形態６とは異なって、強化部分８２と強化部分８３とを縦方向に所定の段差Ｄ（Ｄは例えば５ｍｍ程度）を付けている。
【００９２】
即ち、この実施の形態７では、小型不織布３の横上辺３ａ側に形成した強化部分８２の方を大型不織布６の横上辺６ａ側に形成した強化部分８３よりも低くしているが、これとは逆に、大型不織布６の横上辺６ａ側に形成した強化部分８３の方を小型不織布３の横上辺３ａ側に形成した強化部分８２よりも低くしても良い。
【００９３】
上記に伴って、左側領域４、右側領域５内において、小型不織布３の横上辺３ａよりも下方には、糸縫いにより開口孔８１の左右の端からそれぞれ外側に向かって左側横辺ライン８４ａ、右側横辺ライン８４ｂを各横上辺３ａ、６ａと略平行に形成し、更に、開口孔８１の左右の端から左側首垂直ライン８４ｃ、右側首垂直ライン８４ｄを左側肩ライン８４ｅ、右側肩ライン８４ｆまで垂直に固着接続している。
【００９４】
上記から実施の形態７の衣服用仕切り７０によれば、小型不織布３、大型不織布６の各横上辺３ａ、６ａ側に形成した強化部分８２，８３を高さ方向に所定の段差Ｄを付けることにより、横幅を広げた開口孔８１内に人手Ｈをより一層挿入し易くなり、この開口孔８１内に人手Ｈを介してハンガー２を容易に挿脱することができる。
【００９５】
＜実施の形態８＞
図２０（ａ），（ｂ）は実施の形態８の衣服用仕切り９０において、人手Ｈを介してハンガー２を挿脱するための開口孔９１の説明図である。
【００９６】
図２０（ａ），（ｂ）に示すように、実施の形態８の衣服用仕切り９０は、先に図１４〜図１６を用いて説明した実施の形態５の衣服用仕切り６０を一部変形させたものである。
【００９７】
この実施の形態８の衣服用仕切り９０では、小型不織布３と大型不織布６とにポリプロピレン不織布を用いて両者３，６を重ね合わせている。
【００９８】
また、実施の形態８の衣服用仕切り９０では、先に図１４〜図１６を用いて説明した実施の形態５と同様に、重ねられた小型不織布３、大型不織布６の各横上辺３ａ、６ａの幅方向の中央部に、人手Ｈを挿入することができる横幅程度の長さを有する開口孔９１を形成している。
【００９９】
一方、この実施の形態８では、実施の形態５とは異なって、小型不織布３、大型不織布６の各横上辺３ａ、６ａの内側（又は外側）に画用紙やダンボールや布などの硬質体９２ａ、９３ａを略５ｍｍ程度の高さを持って各横上辺６ａ、６ａに沿って略平行に固着させて強化部分９２，９３を形成している。
【０１００】
これにより、小型不織布３、大型不織布６の各横上辺３ａ、６ａ部位の剛性を高めて、横幅を広げた開口孔９１の入口部位を強化している。
【０１０１】
尚、硬質体９２ａ、９３ａは、先に図７を用いて説明した実施の形態２と同様に、少なくとも開口孔９１の入口部位だけに限定して固着させても良いが、小型不織布３、大型不織布６の各横上辺３ａ、６ａの全幅に沿って固着させた方が強くなることは明らかである。
【０１０２】
上記に伴って、左側領域４、右側領域５内において、小型不織布３、大型不織布６の各横上辺３ａ、６ａに固着させた強化部分９２，９３よりも下方には、糸縫いにより開口孔９１の左右の端からそれぞれ外側に向かって左側横辺ライン９４ａ、右側横辺ライン９４ｂを各横上辺３ａ、６ａと略平行に形成し、更に、開口孔９１の左右の端から左側首垂直ライン９４ｃ、右側首垂直ライン９４ｄを左側肩ライン９４ｅ、右側肩ライン９４ｆまで垂直に固着接続している。
【０１０３】
上記から実施の形態８の衣服用仕切り９０によれば、小型不織布３、大型不織布６の各横上辺３ａ、６ａ側に形成した強化部分９２，９３により、横幅を広げた開口孔９１の入口部位が強くなるので拡げ易くなり、この開口孔９１内に人手Ｈを介してハンガー２を容易に挿脱することができる。
【０１０４】
＜実施の形態９＞
図２１（ａ），（ｂ）は実施の形態９の衣服用仕切り１００において、人手Ｈを介してハンガー２を挿脱するための開口孔１０１の説明図である。
【０１０５】
図２１（ａ），（ｂ）に示すように、実施の形態９の衣服用仕切り１００は、先に図２０を用いて説明した実施の形態８の衣服用仕切り９０の技術的思想を踏まえて一部変形させたものである。
【０１０６】
この実施の形態９の衣服用仕切り９０では、重ねられた小型不織布３、大型不織布６の各横上辺３ａ、６ａの幅方向の中央部に、人手Ｈを挿入することができる横幅程度の長さを有する開口孔１０１を形成し、且つ、小型不織布３、大型不織布６の各横上辺３ａ、６ａの内側（又は外側）に硬質体１０２ａ、１０３ａを略５ｍｍ程度の高さを持って各横上辺６ａ、６ａに沿って略平行に固着させて強化部分１０２，１０３を形成するときに、実施の形態８とは異なって、強化部分１０２と強化部分１０３とを縦方向に所定の段差Ｄ（Ｄは例えば５ｍｍ程度）を付けている。
【０１０７】
即ち、この実施の形態９では、小型不織布３の横上辺３ａ側に形成した強化部分１０２の方を大型不織布６の横上辺６ａ側に形成した強化部分１０３よりも低くしているが、これとは逆に、大型不織布６の横上辺６ａ側に形成した強化部分１０３の方を小型不織布３の横上辺３ａ側に形成した強化部分１０２よりも低くしても良い。
【０１０８】
上記に伴って、左側領域４、右側領域５内において、小型不織布３の横上辺３ａに硬質体１０２ａを固着させて形成した強化部分１０２よりも下方には、糸縫いにより開口孔１０１の左右の端からそれぞれ外側に向かって左側横辺ライン１０４ａ、右側横辺ライン１０４ｂを各横上辺３ａ、６ａと略平行に形成し、更に、開口孔１０１の左右の端から左側首垂直ライン１０４ｃ、右側首垂直ライン１０４ｄを左側肩ライン１０４ｅ、右側肩ライン１０４ｆまで垂直に固着接続している。
【０１０９】
上記から実施の形態９の衣服用仕切り１００によれば、小型不織布３、大型不織布６の各横上辺３ａ、６ａに硬質体１０２ａ、１０３ａを固着させて形成した強化部分１０２，１０３を高さ方向に所定の段差Ｄを付けることにより、横幅を広げた開口孔１０１内に人手Ｈをより一層挿入し易くなり、この開口孔１０１内に人手Ｈを介してハンガー２を容易に挿脱することができる。
【０１１０】
＜その他の実施の形態＞
上記の不織布には、図２２に示すように、衣服用仕切り１の小型不織布３及び大型不織布６に磁粉Ｇを埋め込んでもよい。例えば、高周波域の電磁シールド材として、パーマロイを用いる。
【０１１１】
尚、図２２では、実施の形態１の衣服用仕切り１のみを図示したが、各実施の形態２〜９も同様に小型不織布３及び大型不織布６に磁粉Ｇを埋め込んでもよい。、
なお、各実施の形態では、ズボン掛け用直棒２ｅを備えたハンガー２としたがズボン掛け用直棒２ｅは備えていなくともかまわない。
【０１１２】
さらに、ハンガー２は、傾斜を有する右肩棒２ｃ、左肩棒２ｂを有するものとして説明したが、傾斜有しないでまっすぐであってもよい。この場合は、右側肩ライン５ｄ、左側肩ライン４ｄは傾斜を設けないで直線状に形成して、この上に首線部（首棒）の縦長さを有する右肩領域５、左肩領域４を設ける。
【０１１３】
さらに、衣服用仕切り１の小型不織布３及び大型不織布６は、赤色、黄色、青、緑等の色を塗布してもよい。
【０１１４】
なお、上記実施の形態では、工場に用いるとしたが、服を販売する小売店で服を展示してそれを仕分けにるようにして用いたり、あるいは家庭のクローゼットにおいて私服を仕分けるために用いてもよい。
【０１１５】
なお、図１７に示す、左側領域４、右側領域５内で複数本の左側首垂直ライン６２ｃ１〜６２ｃ３・・・（糸で縫う）、複数本の右側首垂直ライン６２ｄ１〜６２ｄ３・・・（糸で縫う）は、図１、図８、図９、図１３、図２２のような仕切り布に設けてもかまわない。
【符号の説明】
【０１１６】
１  実施の形態１の衣服用仕切り
２  ハンガー
３  小型不織布
４  左側領域
５  右側領域
６  大型不織布
４ａ  左側横辺ライン
５ａ  右側横辺ライン
４ｂ  左側縦辺ライン
５ｂ  右側縦辺ライン
４ｃ  左側首垂直ライン
５ｃ  右側首垂直ライン
４ｄ  左側肩ライン
５ｄ  右側肩ライン
７  フック通過用の開口孔
３０  実施の形態２の衣服用仕切り
４０  実施の形態３の衣服用仕切り
５０  実施の形態４の衣服用仕切り
６０  実施の形態５の衣服用仕切り
６０’  実施の形態５における変形例の衣服用仕切り
７０  実施の形態６の衣服用仕切り
８０  実施の形態７の衣服用仕切り
９０  実施の形態８の衣服用仕切り
１００  実施の形態９の衣服用仕切り
６１、７１、８１、９１、１０１  人手挿入用の開口孔
【要約】
【課題】私服と作業着とが完全不接触となる衣服用仕切りを得る。
【解決手段】長方形状の大型不織布６の上側に小型不織布３を貼り付け、小型不織布３の横上辺３ａの中央部及び横下辺３ｄは貼り付けないで、ハンガー２をいれるようにする。
【選択図】図３【図１】
0005118263.tif 000002
【図２】
0005118263.tif 000003
【図３】
0005118263.tif 000004
【図４】
0005118263.tif 000005
【図５】
0005118263.tif 000006
【図６】
0005118263.tif 000007
【図７】
0005118263.tif 000008
【図８】
0005118263.tif 000009
【図９】
0005118263.tif 000010
【図１０】
0005118263.tif 000011
【図１１】
0005118263.tif 000012
【図１２】
0005118263.tif 000013
【図１３】
0005118263.tif 000014
【図１４】
0005118263.tif 000015
【図１５】
0005118263.tif 000016
【図１６】
0005118263.tif 000017
【図１７】
0005118263.tif 000018
【図１８】
0005118263.tif 000019
【図１９】
0005118263.tif 000020
【図２０】
0005118263.tif 000021
【図２１】
0005118263.tif 000022
【図２２】
0005118263.tif 000023